(57)【要約】本発明に係る通信システムは、端末装置と呼接続サーバとを有している。端末装置は、呼の接続処理を実行するソフトウェアを搭載したパーソナル・コンピュータ７０ｕと、パーソナル・コンピュータ７０ｕと接続され、音声帯域信号のディジタル符号化等を実行する専用電話端末６０ｕとから構成される。呼接続サーバは、パーソナル・コンピュータ７０ｕに対する呼の接続等を実行するＳＩＰサーバ１１と、ＩＰ電話サービスのユーザに関する情報や電話番号と接続先アドレス（ＩＰアドレス）とを関連付けて記憶するデータベースサーバ１２と、データベースサーバ１２に記憶されている情報に基づいてＩＰ電話サービスに関する呼の接続を実行するコールエージェント１３とから構成される。
2005013590.tif 000002
【特許請求の範囲】
【請求項１】
端末装置と、所定の電話番号に関連付けられている接続先アドレスに基づいて前記所定の電話番号に対する呼を前記端末装置に接続する呼接続サーバとを具備する通信システムであって、
前記端末装置は、
前記呼接続サーバと通信可能なネットワークに接続された場合、前記端末装置を識別する端末識別子と前記端末装置が接続されている前記ネットワーク上の位置を特定する端末位置アドレスとを前記呼接続サーバに送信する登録情報送信部を備え、
前記呼接続サーバは、
前記所定の電話番号と前記接続先アドレスと前記端末識別子とを関連付けて記憶する記憶部と、
前記端末識別子と前記端末位置アドレスとを受信する登録情報受信部と、
受信した前記端末識別子と前記記憶部に記憶されている前記端末識別子とに基づいて前記端末装置を認証する認証部と、
前記認証部によって前記端末装置が認証された場合、受信した前記端末位置アドレスと前記端末識別子に関連付けられて前記記憶部に記憶されている前記所定の電話番号とを対応付けるとともに、前記端末位置アドレスを前記接続先アドレスに優先する優先接続先として設定する優先接続先設定部と、
前記優先接続先が設定されている場合、前記端末位置アドレスに基づいて前記呼を前記端末装置に接続する呼接続部と
を備えることを特徴とする通信システム。
【請求項２】
前記呼接続サーバは、前記端末装置が前記ネットワークから切り離されたことを検知する検知部をさらに備え、
前記優先接続先設定部は、前記検知部によって前記端末装置が前記ネットワークから切り離されたことが検知された場合、設定されている前記優先接続先を解除することを特徴とする請求項１に記載の通信システム。
【請求項３】
前記記憶部は、前記所定の電話番号を利用するユーザを識別するユーザ識別子と前記ユーザ識別子に対応付けられるパスワードとをさらに前記所定の電話番号と関連付けて記憶し、
前記登録情報送信部は、前記ユーザ識別子と前記パスワードとをさらに前記呼接続サーバに送信し、
前記登録情報受信部は、前記ユーザ識別子と前記パスワードとをさらに受信し、
前記認証部は、受信した前記端末識別子と前記ユーザ識別子と前記パスワードとに基づいて、前記端末装置を認証することを特徴とする請求項１に記載の通信システム。
【請求項４】
前記端末装置は、前記登録情報送信部による読み出しのみが可能に前記端末識別子を記憶する端末識別子記憶部をさらに備え、
前記登録情報送信部は、前記端末識別子記憶部から読み出した前記端末識別子を前記呼接続サーバに送信することを特徴とする請求項１に記載の通信システム。
【請求項５】
前記端末装置は、前記ユーザ識別子と前記パスワードとを記憶するユーザ情報記憶部をさらに備え、
前記登録情報送信部は、前記端末識別子と前記ユーザ情報記憶部に記憶されている前記ユーザ識別子及び前記パスワードとを前記呼接続サーバに送信することを特徴とする請求項３に記載の通信システム。
【請求項６】
前記端末装置は、
前記ネットワークに接続可能な自営基地局装置と、
前記登録情報送信部を備えるとともに、一般無線基地局又は前記自営基地局装置との無線通信を通じて前記ネットワークに接続可能な携帯端末装置と
からなり、
前記携帯端末装置と前記一般無線基地局との間の無線通信で使用されるプロトコルと同一のプロトコルを用いて、該携帯端末装置は、前記自営基地局装置と無線通信が可能であることを特徴とする請求項１に記載の通信システム。
【請求項７】
前記携帯端末装置及び前記自営基地局装置は、
上記プロトコルを用いた無線通信用の第１の通信インターフェースと、
近距離通信用の第２の通信インターフェースと、
ユーザの操作により、前記第１の通信インターフェース及び前記第２の通信インターフェースを切り替える切替手段と
を備えることを特徴とする請求項６に記載の通信システム。
【請求項８】
前記自営基地局装置は、コンピュータに着脱可能なアダプタ部と、
前記携帯端末装置に対する無線通信用の通信アンテナ部と
を備えることを特徴とする請求項６に記載の通信システム。
【請求項９】
所定の電話番号に関連付けられている接続先アドレスに基づいて、前記所定の電話番号に対する呼を端末装置に接続する呼接続サーバであって、
前記所定の電話番号と前記接続先アドレスと前記端末識別子とを関連付けて記憶する記憶部と、
前記端末装置が前記呼接続サーバと通信可能なネットワークに接続された場合、前記端末装置を識別する端末識別子と前記端末装置が接続されている前記ネットワーク上の位置を特定する端末位置アドレスとを前記端末装置から受信する登録情報受信部と、
受信した前記端末識別子と前記記憶部に記憶されている前記端末識別子とに基づいて前記端末装置を認証する認証部と、
前記認証部によって前記端末装置が認証された場合、受信した前記端末位置アドレスと前記端末識別子と関連付けられて前記記憶部に記憶されている前記所定の電話番号とを対応付けるとともに、前記端末位置アドレスを前記接続先アドレスに優先する優先接続先として設定する優先接続先設定部と、
前記優先接続先が設定されている場合、前記端末位置アドレスに基づいて前記呼を前記端末装置に接続する呼接続部と
を備えることを特徴とする呼接続サーバ。
【請求項１０】
前記端末装置が前記ネットワークから切り離されたことを検知する検知部をさらに備え、
前記優先接続先設定部は、前記検知部によって前記端末装置が前記ネットワークから切り離されたことが検知された場合、設定されている前記優先接続先を解除することを特徴とする請求項９に記載の呼接続サーバ。
【請求項１１】
前記記憶部は、前記所定の電話番号を利用するユーザを識別するユーザ識別子と前記ユーザ識別子に対応付けられるパスワードとをさらに前記所定の電話番号と関連付けて記憶し、
前記登録情報受信部は、前記ユーザ識別子と前記パスワードとをさらに前記端末装置から受信し、
前記認証部は、受信した前記端末識別子と前記ユーザ識別子と前記パスワードとに基づいて、前記端末装置を認証することを特徴とする請求項９に記載の呼接続サーバ。
【請求項１２】
呼接続サーバによって、所定の電話番号に関連付けられている接続先アドレスに基づいて、前記所定の電話番号に対する呼が接続される端末装置であって、
前記呼接続サーバは、前記端末装置を識別する端末識別子と前記端末装置が接続されている前記呼接続サーバと通信可能なネットワークの位置を特定する端末位置アドレスとを前記端末装置から受信し、受信した前記端末位置アドレスと前記所定の電話番号とを対応付け、前記端末位置アドレスを前記接続先アドレスに優先する優先接続先として設定するように構成されており、
前記端末装置は、前記ネットワークに接続された場合、前記端末識別子と前記端末位置アドレスとを前記呼接続サーバに送信する登録情報送信部を備えることを特徴とする端末装置。
【請求項１３】
前記端末装置は、前記登録情報送信部による読み出しのみが可能に前記端末識別子を記憶する端末識別子記憶部をさらに備え、
前記登録情報送信部は、前記端末識別子記憶部から読み出した前記端末識別子を前記呼接続サーバに送信することを特徴とする請求項１２に記載の端末装置。
【請求項１４】
前記呼接続サーバは、前記端末識別子と前記所定の電話番号を利用するユーザを識別するユーザ識別子と前記ユーザ識別子とに基づいて、前記端末装置を認証するように構成されており、
前記端末装置は、前記ユーザ識別子と前記パスワードとを記憶するユーザ情報記憶部をさらに備え、
前記登録情報送信部は、前記端末識別子と前記ユーザ情報記憶部に記憶されている前記ユーザ識別子及び前記パスワードとを前記呼接続サーバに送信することを特徴とする請求項１２に記載の端末装置。
【請求項１５】
前記端末装置は、
前記ネットワークに接続可能な自営基地局装置と、
前記登録情報送信部を備えるとともに、一般無線基地局又は前記自営基地局装置との無線通信を通じて前記ネットワークに接続可能な携帯端末装置と
からなり、
前記携帯端末装置と前記一般無線基地局との間の無線通信で使用されるプロトコルと同一のプロトコルを用いて、該携帯端末装置は、前記自営基地局装置と無線通信が可能であることを特徴とする請求項１２に記載の端末装置。
【請求項１６】
前記携帯端末装置及び前記自営基地局装置は、
上記プロトコルを用いた無線通信用の第１の通信インターフェースと、
近距離通信用の第２の通信インターフェースと、
ユーザの操作により、前記第１の通信インターフェース及び前記第２の通信インターフェースを切り替える切替手段と
を備えることを特徴とする請求項１５に記載の端末装置。
【請求項１７】
前記自営基地局装置は、コンピュータに着脱可能なアダプタ部と、
前記携帯端末装置に対する無線通信用の通信アンテナ部と
を備えることを特徴とする請求項１５に記載の端末装置。
【請求項１８】
端末装置と、所定の電話番号に関連付けられている接続先アドレスに基づいて前記所定の電話番号に対する呼を前記端末装置に接続する呼接続サーバとを用いた通信方法であって、
前記呼接続サーバは、前記所定の電話番号と前記接続先アドレスと前記端末識別子とを関連付けて記憶しておき、
前記端末装置が前記呼接続サーバと通信可能なネットワークに接続された場合、前記呼接続サーバが、前記端末装置を識別する端末識別子と前記端末装置が接続されている前記ネットワーク上の位置を特定する端末位置アドレスとを前記端末装置から受信するステップ（Ａ）と、
前記呼接続サーバが、受信した前記端末識別子と記憶されている前記端末識別子とに基づいて前記端末装置を認証するステップ（Ｂ）と、
前記ステップ（Ｂ）において前記端末装置が認証された場合、前記呼接続サーバが、受信した前記端末位置アドレスと前記端末識別子に関連付けられて記憶されている前記所定の電話番号とを対応付けるとともに、前記端末位置アドレスを前記接続先アドレスに優先する優先接続先として設定するステップ（Ｃ）と、
前記優先接続先が設定されている場合、前記呼接続サーバが、前記端末位置アドレスに基づいて前記呼を前記端末装置に接続するステップ（Ｄ）と
を有することを特徴とする通信方法。
【請求項１９】
前記呼接続サーバが、前記端末装置が前記ネットワークから切り離されたことを検知するステップ（Ｅ）と、
前記ステップ（Ｅ）において前記端末装置が前記ネットワークから切り離されたことが検知された場合、前記サーバが、前記ステップ（Ｃ）において設定された前記優先設定先を解除するステップ（Ｆ）と
をさらに有することを特徴とする請求項１８に記載の通信方法。
【請求項２０】
前記所定の電話番号を利用するユーザを識別するユーザ識別子と前記ユーザ識別子に対応付けられるパスワードとをさらに前記所定の電話番号と関連付けて記憶しておき、
前記ステップ（Ａ）では、前記呼接続サーバが前記ユーザ識別子と前記パスワードとをさらに前記呼接続サーバから受信し、
前記ステップ（Ｂ）では、前記呼接続サーバが、受信した前記端末識別子と前記ユーザ識別子と前記パスワードとに基づいて、前記端末装置を認証することを特徴とする請求項１８に記載の通信方法。
【請求項２１】
前記ステップ（Ａ）では、前記端末装置の内部に記憶され、読み出しのみが可能な前記端末識別子を、前記呼接続サーバが前記端末装置から受信することを特徴とする請求項１８に記載の通信方法。
【請求項２２】
前記ステップ（Ａ）では、前記端末装置の内部に記憶されている前記ユーザ識別子と前記パスワードとを、前記呼接続サーバが前記端末装置から受信することを特徴とする請求項２０に記載の通信方法。
【請求項２３】
前記端末装置は、
前記ネットワークに接続可能な自営基地局装置と、前記登録情報送信部を備えるとともに、一般無線基地局又は前記自営基地局装置との無線通信を通じて前記ネットワークに接続可能な携帯端末装置とからなり、
前記ステップ（Ａ）において、前記携帯端末装置は、前記一般無線基地局に対する無線通信で使用されるプロトコルと同一のプロトコルを用いて、前記自営基地局装置と無線通信を確立し、前記ネットワークに接続することを特徴とする請求項１８に記載の通信方法。
【発明の詳細な説明】
【技術分野】  本発明は、音声通信サービスを提供するための通信システム等、特にＩＰ電話方式における呼を所定の接続先に接続するための通信システム、呼接続サーバ、端末装置及び通信方法に関する。
【背景技術】  通信技術の進展に伴い、従来の加入電話サービス（ＰＯＴＳ）と同等の機能を具備するＩＰ電話サービスの提供が開始されている。
このようなＩＰ電話サービスにおいては、ＩＰ電話サービスのユーザと加入電話サービス等のユーザとの通信を提供するため、ＩＰ電話サービスのネットワークと加入電話サービスのネットワークとは相互に接続されている。従って、ユーザが両サービスを利用している場合、例えばＩＰ電話サービスにおいて割り当てられている電話番号に対する呼を加入電話サービスにおいて割り当てられている電話番号宛に転送させることができる。
また、ＩＰ電話サービスでは、ＩＰパケットを転送可能なネットワーク（ＩＰネットワーク）上の任意の場所において、ユーザは、ＩＰ電話サービスを利用するための機能を具備する端末装置（ＩＰ電話端末）もしくは当該機能が搭載されているパーソナル・コンピュータを接続し、通信を行うことができる。
しかしながら、当該ネットワークの任意の場所に接続されている端末装置等に呼を接続させるためには、ユーザは、例えばＩＥＴＦ  ＲＦＣ２５４３によって規定されるＳＩＰ（Ｓｅｓｓｉｏｎ  Ｉｎｉｔｉａｔｉｏｎ  Ｐｒｏｔｏｃｏｌ）のリダイレクトモードを利用し、ＩＰネットワーク上において呼の接続を実行する呼接続サーバに記憶されている端末装置のＩＰアドレス等の情報を予め変更しなければならないという問題があった。また、一般的に当該情報の変更は、ユーザＩＤとパスワードとによって許可されるが、ユーザＩＤとパスワードとは、不正に取得され易いという問題があった。
さらに、上述したような呼の転送を実現するためには、ユーザは、端末装置の接続の都度、転送先の情報を呼接続サーバが参照するデータベースにＷｅｂサイト等を介して変更しなければならないという問題があった。
本発明は、このような問題に鑑みてなされたもので、端末装置から当該端末装置を識別する情報および当該ネットワーク上の位置を示す情報を自動的に送信させ、この送信された情報に基づいて呼接続サーバの情報を変更することにより所定の電話番号に対する呼を当該端末装置に接続することができる通信システム、呼接続サーバ、端末装置及び通信方法を提供することをその目的とする。
【発明の開示】
本発明の第１の特徴は、端末装置と、所定の電話番号に関連付けられている接続先アドレスに基づいて所定の電話番号に対する呼を端末装置に接続する呼接続サーバとを具備する通信システムであって、端末装置が、呼接続サーバと通信可能なネットワークに接続された場合、端末装置を識別する端末識別子と端末装置が接続されているネットワーク上の位置を特定する端末位置アドレスとを呼接続サーバに送信する登録情報送信部を備え、呼接続サーバが、所定の電話番号と接続先アドレスと端末識別子とを関連付けて記憶する記憶部と、端末識別子と端末位置アドレスとを受信する登録情報受信部と、受信した端末識別子と記憶部に記憶されている端末識別子とに基づいて端末装置を認証する認証部と、認証部によって端末装置が認証された場合、受信した端末位置アドレスと端末識別子に関連付けられて記憶部に記憶されている所定の電話番号とを対応付けるとともに、端末位置アドレスを接続先アドレスに優先する優先接続先として設定する優先接続先設定部と、優先接続先が設定されている場合、端末位置アドレスに基づいて呼を端末装置に接続する呼接続部とを備えることを要旨とする。
かかる特徴によれば、端末装置によって送信された端末位置アドレスに基づいて、所定の電話番号に対する呼が端末装置に接続されるため、ユーザは、当該所定の電話番号に対する呼に端末装置を用いて応答することができる。
かかる特徴によれば、端末装置によって送信された端末位置アドレスが、接続先アドレスに優先する優先接続先として自動的に設定されるため、ユーザの手動による接続先アドレスの変更を回避することができる。
かかる特徴によれば、端末装置から送信された端末識別子と記憶部に記憶されている端末識別子とに基づいて前記端末装置を認証するため、ユーザＩＤとパスワードとを用いずに当該端末装置に対するサービスの提供可否を判定することができる。
本発明の第２の特徴は、本発明の第１の特徴において、呼接続サーバが、端末装置がネットワークから切り離されたことを検知する検知部をさらに備え、検知部によって端末装置がネットワークから切り離されたことが検知された場合、優先接続先設定部が、設定されている優先接続先を解除することを要旨とする。
かかる特徴によれば、検知部によって端末装置がネットワークから切り離されたことが検知された場合、設定されている優先接続先が解除されるため、呼接続サーバは、端末装置がネットワークから切り離されている場合には、記憶部に予め記憶されている接続先アドレスに基づいて所定の電話番号に対する呼を接続することができる。
本発明の第３の特徴は、本発明の第１の特徴において、記憶部が、所定の電話番号を利用するユーザを識別するユーザ識別子とユーザ識別子に対応付けられるパスワードとをさらに所定の電話番号と関連付けて記憶し、登録情報送信部が、ユーザ識別子とパスワードとをさらに呼接続サーバに送信し、登録情報受信部が、ユーザ識別子とパスワードとをさらに受信し、認証部が、受信した端末識別子とユーザ識別子とパスワードとに基づいて、端末装置を認証することを要旨とする。
かかる特徴によれば、端末装置から送信された端末識別子に加え、ユーザ識別子とパスワードとに基づいて端末装置を認証するため、不正なサービスの利用に対するセキュリティを向上させることができる。
本発明の第４の特徴は、本発明の第１の特徴において、端末装置が、登録情報送信部による読み出しのみが可能に端末識別子を記憶する端末識別子記憶部をさらに備え、登録情報送信部が、端末識別子記憶部から読み出した端末識別子を呼接続サーバに送信することを要旨とする。
かかる特徴によれば、端末装置が端末識別子の読み出しのみが可能な端末識別子記憶部をさらに備え、登録情報送信部が端末識別子記憶部から読み出した端末識別子を送信するため、ユーザ等による端末識別子の変更を防止することができ、不正なサービスの利用に対するセキュリティを向上させることができる。
本発明の第５の特徴は、本発明の第３の特徴において、端末装置が、ユーザ識別子とパスワードとを記憶するユーザ情報記憶部をさらに備え、登録情報送信部は、端末識別子とユーザ情報記憶部に記憶されているユーザ識別子及びパスワードとを呼接続サーバに送信することを要旨とする。
かかる特徴によれば、端末装置がユーザ識別子とパスワードとを記憶するユーザ情報記憶部をさらに備え、登録情報送信部が端末識別子とユーザ情報記憶部に記憶されているユーザ識別子及びパスワードとを送信するため、ユーザによるユーザ識別子及びパスワードの接続毎の入力を回避することができる。
本発明の第６の特徴は、本発明の第１の特徴において、端末装置が、ネットワークに接続可能な自営基地局装置と、登録情報送信部を備えるとともに一般無線基地局又は前記自営基地局装置との無線通信を通じてネットワークに接続可能な携帯端末装置とからなり、携帯端末装置と一般無線基地局との間の無線通信で使用されるプロトコルと同一のプロトコルを用いて、携帯端末装置は、自営基地局装置と無線通信が可能であることを要旨とする。
かかる特徴によれば、携帯端末装置により、一般無線基地局と、自営基地局装置との両者に対して、同一のプロトコルによりネットワークへのアクセスが可能となり、ユーザは、いずれの基地局と通信するのかを考慮することなく、操作をすることができる。
本発明の第７の特徴は、本発明の第６の特徴において、携帯端末装置及び自営基地局装置は、上記プロトコルを用いた無線通信用の第１の通信インターフェースと、近距離通信用の第２の通信インターフェースと、ユーザの操作により、前記第１の通信インターフェース及び前記第２の通信インターフェースを切り替える切替手段とを備えることを要旨とする。
かかる特徴によれば、一般無線基地局と同様のプロトコルによる無線通信と、無線ＬＡＮ等の近距離無線通信とを使い分けることができ、通信環境に応じた操作が可能となる。
本発明の第８の特徴は、本発明の第７の特徴において、自営基地局装置は、コンピュータに着脱可能なアダプタ部と、携帯端末装置に対する無線通信用の通信アンテナ部とを備えることを要旨とする。
かかる特徴によれば、自営基地局装置を携帯することにより、例えば海外など、一般無線基地局の電波が届かない場所であっても、ネットワークに接続できるパーソナル・コンピュータがあれば、自営のＰＨＳアンテナ局を構築することができ、通常と同様の操作により、本システムを利用することができる。
本発明の第９の特徴は、所定の電話番号に関連付けられている接続先アドレスに基づいて、所定の電話番号に対する呼を端末装置に接続する呼接続サーバであって、所定の電話番号と接続先アドレスと端末識別子とを関連付けて記憶する記憶部と、端末装置が呼接続サーバと通信可能なネットワークに接続された場合、端末装置を識別する端末識別子と端末装置が接続されているネットワーク上の位置を特定する端末位置アドレスとを端末装置から受信する登録情報受信部と、受信した端末識別子と記憶部に記憶されている端末識別子とに基づいて端末装置を認証する認証部と、認証部によって端末装置が認証された場合、受信した端末位置アドレスと端末識別子と関連付けられて記憶部に記憶されている所定の電話番号とを対応付けるとともに、端末位置アドレスを接続先アドレスに優先する優先接続先として設定する優先接続先設定部と、優先接続先が設定されている場合、端末位置アドレスに基づいて呼を端末装置に接続する呼接続部とを備えることを要旨とする。
本発明の第１０の特徴は、本発明の第９の特徴において、端末装置がネットワークから切り離されたことを検知する検知部をさらに備え、優先接続先設定部が、検知部によって端末装置がネットワークから切り離されたことが検知された場合、設定されている優先接続先を解除することすることを要旨とする。
本発明の第１１の特徴は、本発明の第９の特徴において、記憶部が、所定の電話番号を利用するユーザを識別するユーザ識別子とユーザ識別子に対応付けられるパスワードとをさらに所定の電話番号と関連付けて記憶し、登録情報受信部が、ユーザ識別子とパスワードとをさらに端末装置から受信し、認証部が、受信した端末識別子とユーザ識別子とパスワードとに基づいて、端末装置を認証することを要旨とする。
本発明の第１２の特徴は、呼接続サーバによって、所定の電話番号に関連付けられている接続先アドレスに基づいて、所定の電話番号に対する呼が接続される端末装置であって、呼接続サーバが、端末装置を識別する端末識別子と端末装置が接続されている呼接続サーバと通信可能なネットワークの位置を特定する端末位置アドレスとを端末装置から受信し、受信した端末位置アドレスと所定の電話番号とを対応付け、端末位置アドレスを接続先アドレスに優先する優先接続先として設定するように構成されており、端末装置が、ネットワークに接続された場合、端末識別子と端末位置アドレスとを呼接続サーバに送信する登録情報送信部を備えることを要旨とする。
本発明の第１３の特徴は、本発明の第１２の特徴において、端末装置が、端末識別子を登録情報送信部による読み出しのみが可能に記憶する端末識別子記憶部をさらに備え、登録情報送信部は、端末識別子記憶部から読み出した端末識別子を呼接続サーバに送信することすることを要旨とする。
本発明の第１４の特徴は、本発明の第１２の特徴において、呼接続サーバが、前記端末識別子と前記所定の電話番号を利用するユーザを識別するユーザ識別子と前記ユーザ識別子とに基づいて、前記端末装置を認証するように構成されており、端末装置が、ユーザ識別子とパスワードとを記憶するユーザ情報記憶部をさらに備え、登録情報送信部が、端末識別子とユーザ情報記憶部に記憶されているユーザ識別子及びパスワードとを呼接続サーバに送信することを要旨とする。
本発明の１５の特徴は、本発明の第１２の特徴において、端末装置が、ネットワークに接続可能な自営基地局装置と、登録情報送信部を備えるとともに一般無線基地局又は自営基地局装置との無線通信を通じてネットワークに接続可能な携帯端末装置とからなり、携帯端末装置と一般無線基地局との間の無線通信で使用されるプロトコルと同一のプロトコルを用いて、携帯端末装置は、自営基地局装置と無線通信が可能であることを要旨とする。
本発明の第１６の特徴は、本発明の第１５の特徴において、携帯端末装置及び前記自営基地局装置は、上記プロトコルを用いた無線通信用の第１の通信インターフェースと、近距離通信用の第２の通信インターフェースと、ユーザの操作により、第１の通信インターフェース及び第２の通信インターフェースを切り替える切替手段とを備えることを要旨とする。
本発明の第１７の特徴は、本発明の第１５の特徴において、自営基地局装置は、コンピュータに着脱可能なアダプタ部と、携帯端末装置に対する無線通信用の通信アンテナ部とを備えることを要旨とする。
本発明の第１８の特徴は、端末装置と、所定の電話番号に関連付けられている接続先アドレスに基づいて所定の電話番号に対する呼を端末装置に接続する呼接続サーバとを用いた通信方法であって、呼接続サーバが、所定の電話番号と接続先アドレスと端末識別子とを関連付けて記憶しておき、端末装置が呼接続サーバと通信可能なネットワークに接続された場合、呼接続サーバが、端末装置を識別する端末識別子と端末装置が接続されているネットワーク上の位置を特定する端末位置アドレスとを端末装置から受信するステップ（Ａ）と、呼接続サーバが、受信した端末識別子と記憶されている端末識別子とに基づいて端末装置を認証するステップ（Ｂ）と、ステップ（Ｂ）において端末装置が認証された場合、呼接続サーバが、受信した端末位置アドレスと端末識別子に関連付けられて記憶されている所定の電話番号とを対応付けるとともに、端末位置アドレスを接続先アドレスに優先する優先接続先として設定するステップ（Ｃ）と、優先接続先が設定されている場合、呼接続サーバが、端末位置アドレスに基づいて呼を端末装置に接続するステップ（Ｄ）とを有することを要旨とする。
本発明の第１９の特徴は、本発明の第１８の特徴において、呼接続サーバが、端末装置がネットワークから切り離されたことを検知するステップ（Ｅ）と、ステップ（Ｅ）において端末装置がネットワークから切り離されたことが検知された場合、サーバが、ステップ（Ｃ）において設定された優先設定先を解除するステップ（Ｆ）とをさらに有することすることを要旨とする。
本発明の第２０の特徴は、本発明の第１８の特徴において、所定の電話番号を利用するユーザを識別するユーザ識別子とユーザ識別子に対応付けられるパスワードとをさらに所定の電話番号と関連付けて記憶しておき、ステップ（Ａ）では、呼接続サーバがユーザ識別子とパスワードとをさらに呼接続サーバから受信し、ステップ（Ｂ）では、呼接続サーバが、受信した端末識別子とユーザ識別子とパスワードとに基づいて、端末装置を認証することを要旨とする。
本発明の第２１の特徴は、本発明の第１８の特徴において、ステップ（Ａ）では、端末装置の内部に記憶され、読み出しのみが可能な端末識別子を、呼接続サーバが端末装置から受信することを要旨とする。
本発明の第２２の特徴は、本発明の第２０の特徴において、ステップ（Ａ）では、端末装置の内部に記憶されているユーザ識別子とパスワードとを、呼接続サーバが端末装置から受信することすることを要旨とする。
本発明の第２３の特徴は、本発明の第１８の特徴において、端末装置は、ネットワークに接続可能な自営基地局装置と、登録情報送信部を備えるとともに、一般無線基地局又は自営基地局装置との無線通信を通じて前記ネットワークに接続可能な携帯端末装置とからなり、ステップ（Ａ）において、前記携帯端末装置は、前記一般無線基地局に対する無線通信で使用されるプロトコルと同一のプロトコルを用いて、前記自営基地局装置と無線通信を確立し、前記ネットワークに接続することを要旨とする。
【図面の簡単な説明】  図１は、第１実施形態に係る通信システムを含むネットワーク構成を示す図である。
図２は、第１実施形態に係る端末装置の機能ブロック構成を示す図である。
図３は、第１実施形態に係る呼接続サーバの機能ブロック構成を示す図である。
図４は、第１実施形態に係るデータベースの構成例を示す図である。
図５は、第１実施形態に係る通信方法を示す図である。
図６は、第１実施形態において、端末装置がネットワークに接続された場合におけるデータベースの内容を示す図である。
図７は、第２実施形態に係る端末装置の構成を示す図である。
図８は、第２実施形態に係る端末装置の構成を示す図である。
図９は、第２実施形態に係る端末装置の機能ブロック構成を示す図である。
図１０は、第２実施形態に係る通信システムを含むネットワーク構成を示す図である。
図１１は、第２実施形態において、端末装置がネットワークに接続された場合におけるデータベースの内容を示す図である。
【発明を実施するための最良の形態】［第１実施形態］
（第１実施形態に係る通信システムを含むネットワーク構成）
本発明の第１実施形態について、図面を参照しながら説明する。図１は、本実施形態に係る通信システムを含むＩＰ電話サービスのネットワークの概略構成図である。
図１に示すように、本実施形態では、呼の接続処理を実行するソフトウェアを搭載したパーソナル・コンピュータ７０ｕと、パーソナル・コンピュータ７０ｕと接続され、音声帯域信号のディジタル符号化等を実行する専用電話端末６０ｕとによって、端末装置を構成する。なお、パーソナル・コンピュータ７０ｕに代えて、呼の接続処理を実行するソフトウェアを搭載した携帯情報端末（ＰＤＡ）を用いることもできる。
さらに、本実施形態では、呼の接続の処理及び音声帯域信号のディジタル符号化等を実行する専用ターミナルアダプタ８０ｕによって、パーソナル・コンピュータ７０ｕと同等の機能を提供することもできる。
専用ターミナルアダプタ８０ｕの特徴は、その大きさがＣＤのジャケット程度であり、小型かつ軽量のため持ち運びが容易なことである。さらに、パーソナル・コンピュータ７０ｕと比較して、専用ターミナルアダプタ８０ｕは、ソフトウェアの起動や操作を必要としないため、パーソナル・コンピュータ等を利用しないユーザも同様のサービスを利用することができる。なお、これ以降パーソナル・コンピュータ７０ｕを例として説明する。
パーソナル・コンピュータ７０ｕは、ＩＰパケットを転送し、ＩＰ電話サービスを提供するためのネットワークであるＩＰネットワーク１の任意の場所において接続することができる。
また、ＩＰネットワーク１には、ＶｏＩＰ（Ｖｏｉｃｅ  ｏｖｅｒ  ＩＰ）技術を用いてＩＰパケットを送受するＩＰ電話端末２１ｕ，２６が接続されている。ＩＰ電話端末２１ｕは、ユーザＵの自宅であるユーザ宅２０に設置されているものであり、電話番号［０５０−ｘｘｘｘ−］とＩＰアドレス［ｘ．ｘ．ｘ．ｘ］とが割り当てられている。また、ＩＰ電話端末２６は、他のユーザの自宅であるユーザ宅２５に設置されているものであり、電話番号［０５０−ｙｙｙｙ−］とＩＰアドレス［ｙ．ｙ．ｙ．ｙ］とが割り当てられている。また、ＩＰ電話端末に代えて、音声帯域信号とＩＰパケットとの変換を行うＶｏＩＰゲートウェイと音声帯域信号を送受する一般電話端末（アナログ電話端末）とを用いてもよい。
ＩＰネットワーク１は、本実施形態では、所定の信号の変換を実行するゲートウェイ１Ｇを介して、回線交換方式を用いた電話サービスを提供するＰＳＴＮ２と接続されている。ＰＳＴＮには、音声帯域信号を送受する一般電話端末３１が接続されている。一般電話端末３１は、ユーザＵのオフィス３０に設置されているものであり、電話番号［０３−ｘｘｘｘ−］が割り当てられている。
さらに、ＩＰネットワーク１は、本実施形態では、ゲートウェイ１Ｇを介して、移動電話サービスを提供する移動電話ネットワーク３と接続されている。移動電話ネットワーク３には、移動電話端末５１ｕ，５２が無線基地局３Ｂを介して接続されている。移動電話端末５１ｕは、ユーザＵの利用する移動電話端末であり、電話番号［０９０−ｘｘｘｘ−］が割り当てられている。また、移動電話端末５２は、ＩＰ電話端末２６が設置されているユーザ宅２５のユーザが利用する移動電話端末であり、電話番号［０９０−ｙｙｙｙ−］が割り当てられている。
また、本実施形態では、ＳＩＰサーバ１１と、データベースサーバ１２と、コールエージェント１３とによって、呼接続サーバを構成する。
ＳＩＰサーバ１１は、パーソナル・コンピュータ７０ｕに対する呼の接続等を実行するものである。また、ＳＩＰサーバ１１は、専用電話端末６０ｕがパーソナル・コンピュータ７０ｕを介してＩＰネットワーク１に接続された場合、ＩＰアドレス等の呼の接続に必要な情報を取得し、データベースサーバ１２に送信するものである。
データベースサーバ１２は、ＩＰ電話サービスのユーザに関する情報や、電話番号と接続先アドレス（ＩＰアドレス）とを関連付けて記憶するものである。
コールエージェント１３は、データベースサーバ１２に記憶されている情報に基づいて、呼の接続を実行するものである。なお、ＩＰネットワーク１にパーソナル・コンピュータ７０ｕを介して接続されている専用電話端末６０ｕに対する呼の場合、コールエージェント１３は、ＳＩＰサーバ１１に呼の接続に必要なＩＰアドレス等の情報を送信することができる。なお、ＳＩＰサーバ１１と、データベースサーバ１２と、コールエージェント１３とのそれぞれが提供する機能は、一体のハードウェアにより実現することもできる。
（本発明の一実施形態に係る通信システムの動作概要）
次に、上述した本実施形態に係る通信システムの動作の概要について説明する。
例えば、ユーザ宅２５のユーザが、ＩＰ電話端末２６を用いてユーザ宅２０に設置されているユーザＵが利用するＩＰ電話端末２１ｕに対して発呼した場合、まず、コールエージェント１３は、ＩＰ電話端末２１ｕに割り当てられている電話番号［０５０−ｘｘｘｘ−］をＩＰアドレス［ｙ．ｙ．ｙ．ｙ］とともにＩＰ電話端末２６から受信する。次いで、コールエージェント１３は、受信した電話番号［０５０−ｘｘｘｘ−］に基づいて、データベースサーバ１２を参照する。
ここで、データベースサーバ１２には、例えば図４の電話番号テーブル１２５ａに示されている情報が記憶されている。コールエージェント１３は、電話番号テーブル１２５ａの「割当電話番号」に示されている［０５０−ｘｘｘｘ−］に基づいて、「接続先アドレス（優先順位１）」に示されているＩＰアドレス［ｘ．ｘ．ｘ．ｘ］を取得する。コールエージェント１３は、データベースサーバ１２から取得したＩＰアドレス［ｘ．ｘ．ｘ．ｘ］と、ＩＰ電話端末２６から受信したＩＰアドレス［ｙ．ｙ．ｙ．ｙ］に基づいて、ＩＰ電話端末２６とＩＰ電話端末２１ｕとを接続する。
また、本実施形態に係るデータベースサーバ１２は、所定の電話番号に対する呼を転送する転送先の電話番号を記憶することができる。例えば、電話番号テーブル１２５ａにおいて、割当電話番号［０５０−ｘｘｘｘ−］には、上述した「接続先アドレス（優先順位１）」として記憶されているＩＰアドレス［ｘ．ｘ．ｘ．ｘ］に加え、「接続先アドレス（優先順位２）」として、ユーザＵがオフィス３０において利用する一般電話端末３１の電話番号［０３−ｘｘｘｘ−］が記憶されている。さらに、割当電話番号［０５０−ｘｘｘｘ−］には、「接続先アドレス（優先順位３）」として、ユーザＵが利用する移動電話端末５１ｕの電話番号［０９０−ｘｘｘｘ−］が記憶されている。
ユーザＵは、インターネット等を介して、一般電話端末３１の電話番号や移動電話端末５１ｕの電話番号をデータベースサーバ１２に記憶させることができる。
コールエージェント１３は、データベースサーバ１２に複数の接続先アドレスが記憶されている場合、接続先アドレスの優先順位に基づいて、割当電話番号（［０５０−ｘｘｘｘ−］）に対する呼を接続することができる。
例えば、コールエージェント１３は、「接続先アドレス（優先順位１）」として記憶されているＩＰアドレス［ｘ．ｘ．ｘ．ｘ］に基づいて、ＩＰ電話端末２１ｕを呼び出すが、ＩＰ電話端末２１ｕがコールエージェント１３からの呼び出しに所定の時間内に応答しない場合、ＩＰ電話端末２１ｕに対する呼び出しを中止し、「接続先アドレス（優先順位２）」として記憶されている電話番号［０３−ｘｘｘｘ−］に基づいて、一般電話端末３１を呼び出すことができる。また、データベースサーバ１２に記憶されている複数の「接続先アドレス」の優先順位は、ユーザＵが所定の情報をデータベースサーバ１２にさらに記憶させることにより、一日の時間帯によって変更してもよい。
データベースサーバ１２とコールエージェント１３とが、上述のように動作することにより、ユーザＵの存在する場所に応じて、ユーザＵの利用する電話番号［０５０−ｘｘｘｘ−］に対する呼を所定の電話端末に接続することができる。
さらに、本実施形態では、ユーザＵがパーソナル・コンピュータ７０ｕを介して専用電話端末６０ｕをＩＰネットワーク１に接続した場合、パーソナル・コンピュータ７０ｕに割り当てられたＩＰアドレスが、上述したデータベースサーバ１２に記憶されている「接続先アドレス」として、ＳＩＰサーバ１１を介して設定される。なお、具体的な「接続アドレス」の変更に係る手順については、後述する。
従って、ユーザＵは、例えば出張先等において、パーソナル・コンピュータ７０ｕを介して、専用電話端末６０ｕをＩＰネットワーク１に接続することにより、データベースサーバ１２に記憶されている「接続先アドレス」を自ら変更することなく、電話番号［０５０−ｘｘｘｘ−］に対する呼に対してパーソナル・コンピュータ７０ｕと専用電話端末６０ｕとを用いて応答することができる。
本実施形態に係る通信システムは、上述のように動作するため、ユーザＵが、同一の電話番号［０５０−ｘｘｘｘ−］が割り当てられたＩＰ電話端末２１ｕと専用電話端末６０ｕとの２台の電話端末を「接続先アドレス」等の変更の操作をすることなく使い分けることを実現する。
（本発明の一実施形態に係る端末装置の構成）
次に、図２を参照して、本実施形態に係る専用電話端末６０ｕと、パーソナル・コンピュータ７０ｕとの機能ブロック構成について説明する。
図２に示すように、専用電話端末６０ｕは、入力キー部６１と、表示部６２と、音声信号入出力部６３と、信号処理部６４と、端末ＩＤ記憶部６５と、端末ＩＦ部６６とを有している。
入力キー部６１は、電話番号等の数字や所定の文字を入力するものである。入力キー部６１によって入力された数字や文字のデータは、信号処理部６４に送信される。
表示部６２は、入力キー部６１によって入力されたデータの内容や発信元の電話番号等を表示するものであり、信号処理部６４と接続されている。
音声信号入出力部６３は、マイクとスピーカを具備するとともに、音声帯域信号を信号処理部６４との間において送受するものである。
信号処理部６４は、音声信号入出力部６３との間において送受される音声帯域信号と所定の規格に基づくディジタル信号との変換を行うものである。また、信号処理部６４は、入力キー部６１及び表示部６２と接続され、電話番号等のデータを送受するものである。
信号処理部６４は、例えば、ＩＴＵ−Ｔ  Ｇ．７２９ａ／ｂに準拠したコーデック等により実現することができる。さらに、信号処理部６４は、ディジタル化された音声信号及び電話番号等のデータとＩＰパケットとの変換を行うとともに、端末ＩＦ部６６との間において、ＩＰパケットを送受する。
端末ＩＤ記憶部６５は、専用電話端末６０ｕに割り当てられる端末ＩＤ（端末識別子）をパーソナル・コンピュータ７０ｕによる読み出しのみが可能に記憶するものである。
ここで、専用電話端末６０ｕに割り当てられる端末ＩＤとは、専用電話端末６０ｕに固有の識別子である。本実施形態では、［Ｕｘｘｘｘ−ｘｘｘｘ］の構成を有するシリアル番号が用いられ、専用電話端末６０ｕには、［Ｕ１２３４−５６７８］が割り当てられている。なお、当該端末ＩＤは、データベースサーバ１２にユーザＵの利用する電話番号［０５０−ｘｘｘｘ−］と関連付けて記憶されている。また、端末ＩＤは、［Ｕｘｘｘｘ−ｘｘｘｘ］の構成を有するシリアル番号に代えて、専用電話端末６０ｕに割り当てられるＭＡＣ（Ｍｅｄｉａ  Ａｃｃｅｓｓ  Ｃｏｎｔｒｏｌ）アドレスを用いてもよい。
また、当該シリアル番号は、不正なＩＰ電話サービスの利用を目的とした内容の書き換えができないようにＦＬＡＳＨ等に書き込まれる。従って、当該シリアル番号の変更を容易に変更することが困難となり、不正ＩＰ電話サービスの利用に対するセキュリティを向上させることができる。
端末ＩＦ部６６は、パーソナル・コンピュータ７０ｕと接続するためのインターフェースを具備するものである。例えば、端末ＩＦ部６６は、ＵＳＢ（Ｕｎｉｖｅｒｓａｌ  Ｓｅｒｉａｌ  Ｂｕｓ）やＩＥＥＥ８０２．１１等に準拠した無線ＬＡＮ等により実現することができる。
パーソナル・コンピュータ７０ｕは、端末ＩＦ部７１と、ユーザ情報記憶部７２と、登録情報送信部７３と、接続処理部７４と、ネットワークＩＦ部７５とを有している。
端末ＩＦ部７１は、専用電話端末６０ｕと接続するためのインターフェースを具備するものである。例えば、端末ＩＦ部７１は、ＵＳＢ（Ｕｎｉｖｅｒｓａｌ  Ｓｅｒｉａｌ  Ｂｕｓ）やＩＥＥＥ８０２．１１等に準拠した無線ＬＡＮにより実現することができる。
ユーザ情報記憶部７２は、ユーザＵを識別するユーザＩＤ（ユーザ識別子）と、当該ユーザＩＤと対応付けられたパスワードとを記憶するものである。本実施形態では、ユーザＵのユーザＩＤ［ｕｓｅｒ＿ａ］と、このユーザＩＤに対応付けられたパスワードが記憶される。また、ユーザＩＤとパスワードは、ユーザＵの利用する電話番号［０５０−ｘｘｘｘ−］と関連付けられてデータベースサーバ１２に記憶されている。
パーソナル・コンピュータ７０ｕを介して専用電話端末６０ｕがＩＰネットワーク１に接続された場合、ユーザ情報記憶部７２に記憶されているユーザＩＤとパスワードとが端末ＩＤ等とともに自動的にＳＩＰサーバ１１に対して送信されるため、接続の都度ユーザＩＤ等の情報をユーザＵが入力することを回避することができる。
登録情報送信部７３は、ＳＩＰサーバ１１と通信可能なＩＰネットワーク１にパーソナル・コンピュータ７０ｕを介して専用電話端末６０ｕが接続された場合、専用電話端末６０ｕを識別する端末ＩＤと、パーソナル・コンピュータ７０ｕが接続されているＩＰネットワーク１の位置を特定する端末位置アドレス、すなわち、パーソナル・コンピュータ７０ｕがＩＰネットワーク１に接続されている箇所を特定するＩＰアドレス［ｘ’．ｘ’．ｘ’．ｘ’］とをＳＩＰサーバ１１に送信するものである。
また、登録情報送信部７３は、ユーザＵのユーザＩＤとパスワードとを、さらにＳＩＰサーバ１１に送信することもできる。なお、端末ＩＤとＩＰアドレスに加え、ユーザＩＤとパスワードとをさらに送信するか否かは、確保すべきセキュリティのレベルに応じて決定すればよい。
接続処理部７４は、ネットワークＩＦ部７５を介して、ＳＩＰサーバ１１との通信を行うものである。具体的には、接続処理部７４は、ＳＩＰ（Ｓｅｓｓｉｏｎ  Ｉｎｉｔｉａｔｉｏｎ  Ｐｒｏｔｏｃｏｌ）に基づいて、上述した端末ＩＤ［Ｕ１２３４−５６７８］、ＩＰアドレス［ｘ’．ｘ’．ｘ’．ｘ’］、ユーザＩＤ［ｕｓｅｒ＿ａ］及びパスワードをＳＩＰサーバ１１に送信する。さらに、接続処理部７４は、送信したＩＰアドレス［ｘ’．ｘ’．ｘ’．ｘ’］がデータベースサーバ１２に登録された場合には、ＳＩＰサーバ１１から当該ＩＰアドレスの登録有効期間を示す情報（ＳＩＰヘッダの”ｅｘｐｉｒｅｓ”パラメータ）を受信する。接続処理部７４は、受信した当該ＩＰアドレスの登録有効期間を示す情報に基づいて、登録有効期間が経過する前にＩＰアドレス、ユーザＩＤ及びパスワードを再度ＳＩＰサーバ１１に送信し、データベースサーバ１２に当該ＩＰアドレスを再登録させる。
また、接続処理部７４は、ＳＩＰ（Ｓｅｓｓｉｏｎ  Ｉｎｉｔｉａｔｉｏｎ  Ｐｒｏｔｏｃｏｌ）に基づいて、ＳＩＰサーバ１１と、専用電話端末６０ｕ、すなわち、ユーザＵの利用する電話番号［０５０−ｘｘｘｘ−］に対する呼の接続を実行するものである。さらに、接続処理部７４は、専用電話端末６０ｕが端末ＩＦ部７１を介してパーソナル・コンピュータ７０ｕと接続されているかを定期的に確認する。専用電話端末６０ｕが端末ＩＦ部７１から切り離された場合、接続処理部７４は、その旨をＳＩＰサーバ１１に通知する。
ネットワークＩＦ部７５は、ＩＰネットワーク１と接続可能なインターフェースを具備するものでものである。例えば、ネットワークＩＦ部７５は、ＩＥＥＥ８０２．３ｕに準拠した１００ＢＡＳＥ−ＴＸ等のＬＡＮインターフェースにより実現することができる。なお、ＩＰネットワーク１とパーソナル・コンピュータ７０ｕとの接続には、ＩＰネットワーク１と接続されるアクセス回線の状況に応じて、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデム等を用いることもできる。
（本発明の一実施形態に係る呼接続サーバの構成）
次に、図３を参照して、本実施形態に係る呼接続サーバ、すなわち、ＳＩＰサーバ１１と、データベースサーバ１２と、コールエージェント１３との機能ブロック構成について説明する。
図３に示すように、ＳＩＰサーバ１１は、ネットワークＩＦ部１１１と、登録情報受信部１１２と、通信部１１３と、呼接続部１１４と、端末接続検知部１１５とを有している。
ネットワークＩＦ部１１１は、データベースサーバ１２と、コールエージェント１３と、ＩＰネットワーク１とに接続するためのインターフェースを具備するものである。ネットワークＩＦ部１１１は、１００ＢＡＳＥ−ＴＸや１０００ＢＡＳＥ−ＴＸ等のＬＡＮインターフェースにより実現することができる。
登録情報受信部１１２は、専用電話端末６０ｕの端末ＩＤ［Ｕ１２３４−５６７８］と、パーソナル・コンピュータ７０ｕが接続されているＩＰネットワーク１の位置を示すＩＰアドレス［ｘ’．ｘ’．ｘ’．ｘ’］とを受信するものである。
また、登録情報受信部１１２は、端末ＩＤ［Ｕ１２３４−５６７８］とＩＰアドレス［ｘ’．ｘ’．ｘ’．ｘ’］とに加え、ユーザＩＤ［ｕｓｅｒ＿ａ］とパスワードとをさらに受信することができる。さらに、登録情報受信部１１２は、受信した端末ＩＤ［Ｕ１２３４−５６７８］と、ＩＰアドレス［ｘ’．ｘ’．ｘ’．ｘ’］と、ユーザＩＤ［ｕｓｅｒ＿ａ］と、パスワードとをデータベースサーバ１２に送信する。
通信部１１３は、パーソナル・コンピュータ７０ｕとの間において、ＳＩＰに基づいて通信を行うものである。
具体的には、通信部１１３は、ＳＩＰに規定されている”ＲＥＧＩＳＴＥＲ”メッセージ等を用いて、ＩＰアドレス［ｘ’．ｘ’．ｘ’．ｘ’］、端末ＩＤ［Ｕ１２３４−５６７８］、ユーザＩＤ［ｕｓｅｒ＿ａ］及びパスワードをパーソナル・コンピュータ７０ｕまたは専用電話端末６０ｕから受信する。また、通信部１１３は、ＩＰアドレス［ｘ’．ｘ’．ｘ’．ｘ’］がデータベースサーバ１２に登録された場合には、当該ＩＰアドレスの登録有効期間を示す情報を含む応答をパーソナル・コンピュータ７０ｕに送信する。通信部１１３は、本実施形態では、ＳＩＰヘッダの”ｅｘｐｉｒｅｓ”パラメータにより、ＩＰアドレス［ｘ’．ｘ’．ｘ’．ｘ’］の登録有効期間を任意に指定することができる。
呼接続部１１４は、コールエージェント１３からの通知に基づいて、ユーザＵの利用する電話番号［０５０−ｘｘｘｘ−］に対する呼をパーソナル・コンピュータ７０ｕに接続するものである。
端末接続検知部１１５は、ＩＰネットワーク１に接続されているパーソナル・コンピュータ７０ｕから専用電話端末６０ｕがＩＰネットワーク１から切り離されたことを検知するものであり、本実施形態では、検知部を構成する。
具体的には、端末接続検知部１１５は、通信部１１３によってパーソナル・コンピュータ７０ｕに送信されたＩＰアドレス［ｘ’．ｘ’．ｘ’．ｘ’］の登録有効期間の経過してもパーソナル・コンピュータ７０ｕからの再登録がない場合、呼接続部１１４に対して専用電話端末６０ｕの呼び出しを指示する。専用電話端末６０ｕが、呼接続部１１４からの呼び出しに所定の時間内に応答しない場合、端末接続検知部１１５は、パーソナル・コンピュータ７０ｕがＩＰネットワーク１から切り離されたと判定する。
さらに、端末接続検知部１１５は、専用電話端末６０ｕが接続されていないと判定した場合、データベースサーバ１２に専用電話端末６０ｕがＩＰネットワーク１から切り離されたことを通知する。
データベースサーバ１２は、図３に示すように、ネットワークＩＦ部１２１と、ユーザＩＦ部１２２と、認証部１２３と、設定更新部１２４と、記憶部１２５とを有している。
ここで、まず図４を参照して、記憶部１２５の構成について説明する。記憶部１２５は、ユーザの利用する電話番号（［０５０−ｘｘｘｘ−］等）と、接続先アドレスと、端末識別子とを関連付けて記憶するものである。また、記憶部１２５は、［０５０−ｘｘｘｘ−］等の電話番号を利用するユーザを識別するユーザＩＤ（［ｕｓｅｒ＿ａ］等）と当該ユーザＩＤに対応付けられるパスワードとをさらに［０５０−ｘｘｘｘ−］等の電話番号と関連付けて記憶するものである。具体的には、記憶部１２５は、電話番号テーブル１２５ａと、端末ＩＤテーブル１２５ｂとから構成されている。
電話番号テーブル１２５ａは、「割当電話番号」と、「ユーザＩＤ」と、「パスワード」と、「接続先アドレス（優先順位１〜５）」と、当該接続先アドレスがパーソナル・コンピュータ７０ｕに割り当てられたものであることを示す「ＬＦ」（Ｌｏｃａｔｉｏｎ  Ｆｒｅｅ）とから構成されている。
端末ＩＤテーブル１２５ｂは、「割当電話番号」と「端末ＩＤ」とが関連付けられており、「割当電話番号」は、電話番号テーブル１２５ａの「割当電話番号」と対応している。
次に、図３を参照して、データベースサーバ１２を構成する他のブロックの機能について説明する。
ネットワークＩＦ部１２１は、ＳＩＰサーバ１１及びコールエージェント１３に接続するためのインターフェースを具備するものである。ネットワークＩＦ部１２１は、１００ＢＡＳＥ−ＴＸや１０００ＢＡＳＥ−ＴＸ等のＬＡＮインターフェースにより実現することができる
ユーザＩＦ部１２２は、ユーザＵの利用する電話番号［０５０−ｘｘｘｘ−］に対する呼の転送先等をユーザＵが登録するためのインターフェースを提供するものである。例えば、ユーザＩＦ部１２２は、インターネットに接続されるＷｅｂサーバによって実現することができる。ユーザＩＦ部１２２は、設定更新部１２４を介して、ユーザＵから取得した電話番号等の情報を記憶部１２５に記憶させる。
認証部１２３は、ＳＩＰサーバ１１によって受信された端末ＩＤ［Ｕ１２３４−５６７８］と、記憶部１２５（端末ＩＤテーブル１２５ｂ）に記憶されている専用電話端末６０ｕの端末ＩＤとに基づいて専用電話端末６０ｕを認証するものである。
また、認証部１２３は、ＳＩＰサーバ１１によって受信された端末ＩＤ［Ｕ１２３４−５６７８］と、ユーザＩＤ［ｕｓｅｒ＿ａ］と、ユーザＩＤ［ｕｓｅｒ＿ａ］に対応付けられているパスワードとに基づいて、記憶部１２５（電話番号テーブル１２５ａ）に記憶されているユーザＩＤ［ｕｓｅｒ＿ａ］とパスワードとを確認することにより、専用電話端末６０ｕを認証することもできる。
設定更新部１２４は、認証部１２３によって専用電話端末６０ｕが認証された場合、ＳＩＰサーバ１１によって受信されたＩＰアドレス［ｘ’．ｘ’．ｘ’．ｘ’］と、同じくＳＩＰサーバ１１によって受信された端末ＩＤ［Ｕ１２３４−５６７８］に関連付けられて記憶部１２５（電話番号テーブル１２５ａ）に記憶されている電話番号［０５０−ｘｘｘｘ］とを対応付けるとともに、ＩＰアドレス［ｘ’．ｘ’．ｘ’．ｘ’］を記憶部１２５（電話番号テーブル１２５ａ）に記憶されている「接続先アドレス」に優先する優先接続先として設定するものであり、本実施形態では優先接続先設定部を構成する。
ここで、図６は、設定更新部１２４が上述した処理を実行した後の記憶部１２５（電話番号テーブル１２５ａ）の内容を示している。上述したように、電話番号［０５０−ｘｘｘｘ−］と関連付けられている「接続先アドレス（優先順位１）」にパーソナル・コンピュータ７０ｕに割り当てられたＩＰアドレス［ｘ’．ｘ’．ｘ’．ｘ’］が記憶されるとともに、パーソナル．コンピュータ７０ｕに割り当てられたＩＰアドレスであることを示す「ＬＦ」に［１］が記憶される。
一方、図４に示すように、上述の処理が完了するまで「接続先アドレス（優先順位１）」に記憶されていたＩＰ電話端末２１ｕのＩＰアドレス［ｘ．ｘ．ｘ．ｘ］は、「接続先アドレス（優先順位２）」に記憶される。また、電話番号［０３−ｘｘｘｘ−］及び［０９０−ｘｘｘｘ−］についても同様に優先順位が繰り下がる。
さらに、設定更新部１２４は、ＳＩＰサーバ１１の端末接続検知部１１５によって専用電話端末６０ｕがＩＰネットワーク１から切り離されたことが検知された場合、設定されている優先接続先、すなわちＩＰアドレス［ｘ’．ｘ’．ｘ’ｘ’］を解除する。具体的には、端末接続検知部１１５から専用電話端末６０ｕがＩＰネットワーク１から切り離されたことが通知された場合、設定更新部１２４は、電話番号［０５０−ｘｘｘｘ−］に関する記憶部１２５（電話番号テーブル１２５ａ）の内容を図４に示す状態に戻す。
ＳＩＰサーバ１１及びデータベースサーバ１２が上述のように動作することにより、専用電話端末６０ｕがＩＰネットワーク１から切り離された場合には、予め記憶部１２５に記憶されている「接続先アドレス」の情報の基づいて電話番号［０５０−ｘｘｘｘ−］に対する呼を接続させることができる。なお、ＩＰアドレス［ｘ’．ｘ’．ｘ’．ｘ’］は、専用電話端末６０ｕがＩＰネットワーク１から切り離された都度、消去してもよいし、再度同一のＩＰアドレスによって接続されることを考慮し、例えば一定期間記憶部１２５の所定の領域に記憶させておいてもよい。
また、設定更新部１２４は、ユーザＩＦ部１２２によって送信されたユーザＵから取得した電話番号等の情報等の内容を記憶部１２５（電話番号テーブル１２５ａ）に記憶させることができる。
コールエージェント１３は、図３に示すように、ネットワークＩＦ部１３１と、呼接続部１３２と、ＧＷ情報記憶部１３３とを有している。
ネットワークＩＦ部１３１は、ＳＩＰサーバ１１と、データベースサーバ１２と、ＩＰネットワーク１とに接続するためのインターフェースを具備するものである。ネットワークＩＦ部１３１は、１００ＢＡＳＥ−ＴＸや１０００ＢＡＳＥ−ＴＸ等のＬＡＮインターフェースにより実現することができる。
呼接続部１３２は、データベースサーバ１２の電話番号テーブル１２５ａに優先接続先、すなわちＩＰアドレス［ｘ’．ｘ’．ｘ’．ｘ’］が設定されている場合、ＩＰアドレス［ｘ’．ｘ’．ｘ’．ｘ’］に基づいて電話番号［０５０−ｘｘｘｘ−］に対する呼を専用電話端末６０ｕに接続するものである。なお、本実施形態では、ＳＩＰサーバ１１の呼接続部１１４と呼接続部１３２とにより呼接続部を構成する。
具体的には、呼接続部１３２は、電話番号［０５０−ｘｘｘｘ−］に対する呼を受信した場合、電話番号［０５０−ｘｘｘｘ−］に基づいて電話番号テーブル１２５ａに記憶されている内容を参照する。ここで、電話番号［０５０−ｘｘｘｘ−］と関連付けられている「接続先アドレス（優先順位１）」の「ＬＦ」に［１］が表示されている場合には、呼接続部１３２は、電話番号テーブル１２５ａに記憶されているＩＰアドレス［ｘ’．ｘ’．ｘ’．ｘ’］と、当該呼の送信元のＩＰアドレスとをＳＩＰサーバ１１に送信する。
また、呼接続部１３２は、電話番号テーブル１２５ａの「接続先アドレス」にゲートウェイ１Ｇを介して接続すべき電話番号、すなわち［０３−ｘｘｘｘ−］や［０９０−ｘｘｘｘ−］等が記憶されている場合には、ＧＷ情報記憶部１３３に記憶されているそれぞれのゲートウェイ１ＧのＩＰアドレスに基づいて、当該呼をゲートウェイ１Ｇに接続する。
ＧＷ情報記憶部１３３は、ＩＰネットワーク１と、ＰＳＴＮ２または移動電話ネットワーク３を接続するゲートウェイ１ＧのＩＰアドレスと、当該ゲートウェイを介して接続すべき電話番号とを関連付けて記憶するものである。例えば、本実施形態では、ＰＳＴＮ２と接続されるゲートウェイ１ＧのＩＰアドレスと、［０３］から始まる電話番号とが関連付けられて記憶される。
（本発明の一実施形態に係る通信システムを用いた通信方法）
次に図５を参照して、本実施形態に係る通信システムを用いた通信方法について説明する。
まず、ＩＰネットワーク１に接続されているパーソナル・コンピュータ７０ｕに専用電話端末６０ｕが接続されると、パーソナル・コンピュータ７０ｕは、ＳＩＰの”ＲＥＧＩＳＴＥＲ”メッセージを用いて、パーソナル・コンピュータ７０ｕに割り当てられているＩＰアドレス［ｘ’．ｘ’．ｘ’．ｘ’］をＳＩＰサーバ１１に送信する（Ｓ１０）。”ＲＥＧＩＳＴＥＲ”メッセージを受信したＳＩＰサーバ１１は、ＭＤ５等のアルゴリズムに基づいて、チャレンジバリューを送信する（Ｓ２０）。
チャレンジバリューを受信したパーソナル・コンピュータ７０ｕは、ユーザＩＤ［ｕｓｅｒ＿ａ］と、ユーザＩＤに対応付けられているパスワードと、専用電話端末６０ｕに記憶されている端末ＩＤ［Ｕ１２３４−５６７８］とに基づいて、ＭＤ５等のアルゴリズムにより計算した値をＳＩＰサーバ１１に送信する（Ｓ３０）。
次いで、ＳＩＰサーバ１１は、パーソナル・コンピュータ７０ｕから受信したユーザＩＤ［ｕｓｅｒ＿ａ］と、パスワードと、端末ＩＤ［Ｕ１２３４−５６７８］と、ＩＰアドレス［ｘ’．ｘ’．ｘ’．ｘ’］とをデータベースサーバ１２に送信する（Ｓ４０）。
データベースサーバ１２は、ＳＩＰサーバ１１から受信した情報とデータベースサーバ１２に記憶されている情報とに基づいて、専用電話端末６０ｕを認証するとともに、「接続先アドレス（優先順位１）」をＩＰアドレス［ｘ’．ｘ’．ｘ’．ｘ’］に変更する（Ｓ５０）。
次いで、データベースサーバ１２は、専用電話端末６０ｕが認証され、「接続先アドレス（優先順位１）」の内容を更新したことをＳＩＰサーバ１１に通知する（Ｓ６０）。
ＳＩＰサーバ１１は、データベースサーバ１２からの通知に基づいて、登録が完了したことをパーソナル・コンピュータ７０ｕに通知する（Ｓ７０）。また、ＳＩＰサーバ１１は、ＳＩＰヘッダの”ｅｘｐｉｒｅｓ”パラメータにより、ＩＰアドレス［ｘ’．ｘ’．ｘ’．ｘ’］の登録有効期間を含めて通知する。
上述の処理が完了することにより、データベースサーバ１２に記憶されている電話番号［０５０−ｘｘｘｘ−］に関する情報は、図６に示すような内容に変更される。
次に、さらに図５を参照して、専用電話端末６０ｕに対する呼の接続の処理について説明する。
例えば、ＩＰ電話端末２６が、電話番号［０５０−ｘｘｘｘ−］に対して発呼した場合、コールエージェント１３は、当該電話番号とＩＰ電話端末２６のＩＰアドレス［ｙ．ｙ．ｙ．ｙ］とをＩＰ電話端末２６から受信する（Ｓ８０）。次いで、コールエージェント１３は、受信した電話番号［０５０−ｘｘｘｘ−］に基づいて、データベースサーバ１２に記憶されている内容を参照する（Ｓ９０）。ここで、コールエージェント１３は、電話番号［０５０−ｘｘｘｘ−］と関連付けられているＩＰアドレス［ｘ’．ｘ’．ｘ’．ｘ’］を取得するとともに、図６に示すように、「ＬＦ」に［１］が記憶されていることにより、パーソナル・コンピュータ７０ｕに割り当てられているＩＰアドレスであることを認識する（Ｓ１００）。
そこで、コールエージェント１３は、ＩＰアドレス［ｘ’．ｘ’．ｘ’．ｘ’］と、ＩＰ電話端末２６のＩＰアドレス［ｙ．ｙ．ｙ．ｙ］とをＳＩＰサーバ１１に送信する（Ｓ１１０）。
ＳＩＰサーバ１１は、コールエージェント１３から受信した情報に基づいて、ＩＰ電話端末２６からの呼を専用電話端末６０ｕに接続する（Ｓ１２０）。その後、ＩＰ電話端末２６と専用電話端末６０ｕとの間において通信が開始される（Ｓ１３０）。
次に、ＩＰネットワーク１に接続されているパーソナル・コンピュータ７０ｕから切り離された場合の処理について説明する。
ＳＩＰサーバ１１は、ステップＳ７０においてパーソナル・コンピュータ７０ｕに通知したＩＰアドレス［ｘ’．ｘ’．ｘ’．ｘ’］の登録有効期間が経過しても、パーソナル・コンピュータ７０ｕから当該ＩＰアドレスの再登録されない場合、パーソナル・コンピュータ７０ｕに接続されている専用電話端末６０ｕを呼び出す（Ｓ１４０）。
ＳＩＰサーバ１１は、ステップＳ１４０の呼び出しに専用電話端末６０ｕが所定の時間内に応答しない場合、パーソナル・コンピュータ７０ｕがＩＰネットワーク１から切り離されたと判定する（Ｓ１５０）。
なお、専用電話端末６０ｕのみがパーソナル・コンピュータ７０ｕから切り離された場合、パーソナル・コンピュータ７０ｕは、ＳＩＰに基づいて、専用電話端末６０ｕが切り離されたことをＳＩＰサーバ１１に通知することもできる。
ＳＩＰサーバ１１は、ステップＳ１５０による判定の結果、または専用電話端末６０ｕが切り離されたことを示すパーソナル・コンピュータ７０ｕからの通知に基づいて、データベースサーバ１２に専用電話端末６０ｕまたはパーソナル・コンピュータ７０ｕが切り離されたことを通知する（Ｓ１６０）。
データベースサーバ１２は、ＳＩＰサーバ１１からの当該通知に基づいて、電話番号［０５０−ｘｘｘｘ−］に対する呼の優先接続先、すなわち電話番号［０５０−ｘｘｘｘ−］とＩＰアドレス［ｘ’．ｘ’．ｘ’．ｘ’］との関連付けを解除する（Ｓ１７０）。
ステップＳ１７０の処理が完了することにより、データベースサーバ１２に記憶されている情報は、図４に示すような内容に変更される。
（本実施形態に係る通信システム及び通信方法による作用・効果）
本実施形態に係る通信システム及び通信方法によれば、専用電話端末６０ｕによって送信されたＩＰアドレス［ｘ’．ｘ’．ｘ’．ｘ’］に基づいて、ユーザＵの電話番号［０５０−ｘｘｘｘ−］に対する呼が専用電話端末６０ｕに接続されるため、ユーザＵは、電話番号［０５０−ｘｘｘｘ−］に対する呼に専用電話端末６０ｕを用いて応答することができる。
本実施形態によれば、パーソナル・コンピュータ７０ｕによって送信されたＩＰアドレス［ｘ’．ｘ’．ｘ’．ｘ’］が、データベースサーバ１２に予め記憶されている接続先アドレスに優先する優先接続先として自動的に設定されるため、ユーザＵの手動による接続先アドレスの変更を回避することができる。すなわち、ユーザＵは、同一の電話番号［０５０−ｘｘｘｘ−］が割り当てられたＩＰ電話端末２１ｕと専用電話端末６０ｕとの２台の電話端末を「接続先アドレス」等の変更の操作をすることなく使い分けることができる。
本実施形態によれば、専用電話端末６０ｕから送信された端末ＩＤとデータベースサーバ１２に記憶されている端末ＩＤとに基づいて専用電話端末６０ｕを認証するため、ユーザＵのユーザＩＤとパスワードとを用いずに専用電話端末６０ｕに対するサービスの提供可否を判定することができる。
本実施形態によれば、ＳＩＰサーバ１１によって専用電話端末６０ｕがパーソナル・コンピュータ７０ｕから切り離されたこと、またはパーソナル・コンピュータ７０ｕがＩＰネットワーク１から切り離されたことが検知された場合、設定されている優先接続先が解除されるため、コールエージェント１３は、専用電話端末６０ｕまたはパーソナル・コンピュータ７０ｕがＩＰネットワーク１から切り離されている場合には、データベースサーバ１２に予め記憶されている接続先アドレスに基づいて電話番号［０５０−ｘｘｘｘ−］に対する呼を接続することができる。
本実施形態によれば、専用電話端末６０ｕから送信された端末ＩＤに加え、ユーザＩＤとパスワードとに基づいて専用電話端末６０ｕを認証するため、不正なサービスの利用に対するセキュリティを向上させることができる。
本実施形態によれば、専用電話端末６０ｕが、端末ＩＤの読み出しのみが可能な端末ＩＤ記憶部６５をさらに備え、登録情報送信部７３が、端末ＩＤ記憶部６５から読み出した端末ＩＤを送信するため、ユーザ等による端末ＩＤの変更を防止することができ、不正なサービスの利用に対するセキュリティを向上させることができる。
本実施形態によれば、パーソナル・コンピュータ７０ｕが、ユーザＩＤとパスワードとを記憶するユーザ情報記憶部７２をさらに備え、登録情報送信部７３が端末ＩＤとユーザ情報記憶部７２に記憶されているユーザＩＤ及びパスワードとを送信するため、ユーザＵによるユーザＩＤ及びパスワードの接続毎の入力を回避することができる。
［第２実施形態］
次いで、第２実施形態について、図面を参照しながら説明する。本実施形態では、図７に示すように、上述した第１実施形態で説明した端末装置を、一般無線基地局３Ｂ又は自営基地局装置１００ｕとの無線通信を通じてＩＰネットワーク１に接続可能な携帯端末装置９０ｕと、ＩＰネットワーク１に接続可能な自営基地局装置１００ｕとにより構成する。
携帯端末装置９０ｕは、ユーザＵに携帯され、移動通信が可能なものであり、電話番号［０７０−ｘｘｘｘ−］が割り当てられているとともに、ＩＰアドレス［ｘ’．ｘ’．ｘ’．ｘ’］が割り当てられている。この携帯端末装置９０ｕは、無線基地局３Ｂに対し、ＰＨＳ方式のプロトコルを使用して無線通信を行い、無線基地局３Ｂを介して、移動電話ネットワーク３からＩＰネットワーク１へのアクセスが可能であり、ＶｏＩＰ技術によって、ＩＰネットワーク１を通じてのＩＰ電話が可能となっている。
また、この携帯端末装置９０ｕは、無線基地局３Ｂで使用されるプロトコルと同一のプロトコルであるＰＨＳ方式プロトコルを用いて、自営基地局装置１００ｕと無線通信が可能であり、自営基地局装置１００ｕを通じてＩＰネットワーク１にアクセスし、ＩＰネットワーク１を介してのＩＰ電話も可能である。さらに、携帯端末装置９０ｕは、ＩＥＥＥ８０２．１１等の無線ＬＡＮを通じても、自営基地局装置１００ｕに接続が可能であり、この無線ＬＡＮを通じてのＩＰ電話も可能である。このＰＨＳ方式と無線ＬＡＮ方式の接続は、通信環境（電波状況等）に応じて自動的に、或いはユーザの操作に基づいて、切り替えられる。
自営基地局装置１００ｕは、上述した専用ターミナルアダプタ８０ｕやＩＰ電話端末２１ｕに、ＰＨＳ方式の自営基地局手段や無線ＬＡＮ機能を付加したものであり、これに接続された電話機を用いてのＩＰ電話が可能であるとともに、携帯端末装置９０ｕとの無線通信によるＩＰ電話も可能な装置である。すなわち、本実施形態において、自営基地局装置１００ｕは、無線電波が届く所定値域内において、上述した無線基地局３Ｂと同様の機能を果たすものであり、これにより、ユーザＵは、無線基地局３Ｂからの電波が届かない場所であっても、自営基地局装置１００ｕを通じて、ＰＨＳ方式の通信を行うことができる。
また、本実施形態に係る自営基地局装置１００ｕは、ＰＨＳ方式の無線通信と、無線ＬＡＮの切替スイッチ１０１ａを備えており、ユーザのニーズに応じて、ＰＨＳ方式と、無線ＬＡＮとを任意に切り替えることができる。
なお、自営基地局装置１００ｕは、図８に示すように、上記自営基地局機能をアンテナアダプタ形式とし、これをパーソナル・コンピュータ７０ｕに差し込むことによって、パーソナル・コンピュータ７０ｕの機能と協動させて、構成するようにしてもよい。具体的には、コンピュータ７０ｕのカードスロットルやＵＳＢスロットルに着脱可能なアダプタ形式とし、携帯端末装置９０ｕに対する無線通信用の通信アンテナ機能をパーソナル・コンピュータ７０ｕに追加する形態とする。
次に、図９を参照して、本実施形態に係る携帯端末装置９０ｕと、自営基地局装置１００ｕとの機能ブロック構成について説明する。
図９に示すように、携帯端末装置９０ｕは、入力キー部９１と、表示部９２と、音声信号入出力部９３と、信号処理部９４と、接続処理部９９とを有している。
入力キー部９１は、電話番号等の数字や所定の文字を入力するものである。入力キー部９１によって入力された数字や文字のデータは、信号処理部９４に送信される。表示部９２は、入力キー部９１によって入力されたデータの内容や発信元の電話番号等を表示するものであり、信号処理部９４と接続されている。音声信号入出力部９３は、マイクとスピーカを具備するとともに、信号処理部９４との間において音声帯域信号を送受するものである。
信号処理部９４は、音声信号入出力部９３との間において送受される音声帯域信号と所定の規格に基づくディジタル信号との変換を行うとともに、変換されたディジタル信号をＩＰパケットに変換を行うモジュールである。また、信号処理部９４は、入力キー部９１及び表示部９２と接続され、電話番号等のデータを送受する。なお、信号処理部９４は、例えば、ＩＴＵ−Ｔ  Ｇ．７２９ａ／ｂに準拠したコーデック等により実現することができる。さらに、信号処理部９４は、ディジタル化された音声信号及び電話番号等のデータとＩＰパケットとの変換を行う。
接続処理部９９は、ＰＨＳ部９７を通じて、直接無線基地局３ｂに接続する場合に、ＳＩＰサーバ１１との通信を行うモジュールである。具体的には、接続処理部１０４は、ＳＩＰ（Ｓｅｓｓｉｏｎ  Ｉｎｉｔｉａｔｉｏｎ  Ｐｒｏｔｏｃｏｌ）に基づいて、上述した端末ＩＤ［Ｕ１２３４−５６７８］、ＩＰアドレス［ｘ’．ｘ’．ｘ’．ｘ’］、ユーザＩＤ［ｕｓｅｒ＿ａ］及びパスワードをＳＩＰサーバ１１に送信する。さらに、接続処理部１０４は、送信したＩＰアドレス［ｘ’．ｘ’．ｘ’．ｘ’］がデータベースサーバ１２に登録された場合には、ＳＩＰサーバ１１から当該ＩＰアドレスの登録有効期間を示す情報（ＳＩＰヘッダの”ｅｘｐｉｒｅｓ”パラメータ）を受信する。
また、接続処理部９９は、受信した当該ＩＰアドレスの登録有効期間を示す情報に基づいて、登録有効期間が経過する前にＩＰアドレス、ユーザＩＤ及びパスワードを再度ＳＩＰサーバ１１に送信し、データベースサーバ１２に当該ＩＰアドレスを再登録させる。また、接続処理部９９は、直接無線基地局３ｂに接続する場合に、ＳＩＰ（Ｓｅｓｓｉｏｎ  Ｉｎｉｔｉａｔｉｏｎ  Ｐｒｏｔｏｃｏｌ）に基づいて、ＳＩＰサーバ１１と、携帯端末装置９０ｕ、すなわち、ユーザＵの利用する電話番号［０７０−ｘｘｘｘ−］に対する呼の接続を実行する。
さらに、携帯端末装置９０ｕは、登録情報送信部９５ａと、ユーザ情報記憶部９５ｂと、端末ＩＤ記憶部９５ｃとを有している。
ユーザ情報記憶部９５ｂは、ユーザＵを識別するユーザＩＤ（ユーザ識別子）と、当該ユーザＩＤと対応付けられたパスワードとを記憶するものである。本実施形態では、ユーザＵのユーザＩＤ［ｕｓｅｒ＿ａ］と、このユーザＩＤに対応付けられたパスワードが記憶される。また、ユーザＩＤとパスワードは、ユーザＵの利用する電話番号［０７０−ｘｘｘｘ−］と関連付けられてデータベースサーバ１２に記憶されている。
携帯端末装置９０ｕがＩＰネットワーク１に接続された場合、ユーザ情報記憶部９５ｂに記憶されているユーザＩＤとパスワードとが、端末ＩＤ等とともに自動的にＳＩＰサーバ１１に対して送信されるため、接続の都度ユーザＩＤ等の情報をユーザＵが入力することを回避することができる。
登録情報送信部９５ａは、ＳＩＰサーバ１１と通信可能なＩＰネットワーク１に、携帯端末装置９０ｕが接続された場合、携帯端末装置９０ｕを識別する端末ＩＤと、ＩＰネットワーク１の位置を特定する端末位置アドレス、すなわち、携帯端末装置９０ｕがＩＰネットワーク１に接続されている箇所を特定するＩＰアドレス［ｘ’．ｘ’．ｘ’．ｘ’］とをＳＩＰサーバ１１に送信するものである。
また、登録情報送信部９５ａは、ユーザＵのユーザＩＤとパスワードとを、さらにＳＩＰサーバ１１に送信することもできる。なお、端末ＩＤとＩＰアドレスに加え、ユーザＩＤとパスワードとをさらに送信するか否かは、確保すべきセキュリティのレベルに応じて決定すればよい。
端末ＩＤ記憶部９５ｃは、携帯端末装置９０ｕに割り当てられる端末ＩＤ（端末識別子）を登録情報送信部９５ａに送出するための記憶メモリである。
ここで、携帯端末装置９０ｕに割り当てられる端末ＩＤとは、携帯端末装置９０ｕに固有の識別子である。本実施形態では、［Ｕｘｘｘｘ−ｘｘｘｘ］の構成を有するシリアル番号が用いられ、携帯端末装置９０ｕには、［Ｕ１２３４−５６７８］が割り当てられている。なお、当該端末ＩＤは、データベースサーバ１２にユーザＵの利用する電話番号［０７０−ｘｘｘｘ−］と関連付けて記憶されている。また、端末ＩＤは、［Ｕｘｘｘｘ−ｘｘｘｘ］の構成を有するシリアル番号に代えて、携帯端末装置９０ｕに割り当てられるＭＡＣ（Ｍｅｄｉａ  Ａｃｃｅｓｓ  Ｃｏｎｔｒｏｌ）アドレスを用いてもよい。
また、当該シリアル番号は、不正なＩＰ電話サービスの利用を目的とした内容の書き換えができないようにＦＬＡＳＨ等に書き込まれる。したがって、当該シリアル番号の変更を容易に変更することが困難となり、不正ＩＰ電話サービスの利用に対するセキュリティを向上させることができる。
さらに、携帯端末装置９０ｕは、ＰＨＳ方式の通信プロトコルを用いて無線通信を行う通信インターフェースであるＰＨＳ部９７と、無線ＬＡＮ等の近距離通信用の通信インターフェースである無線ＬＡＮ部９８と、これらのＰＨＳ部９７と無線ＬＡＮ部９８とを切り替えるための切替部９６とを備えている。
ＰＨＳ部９７は、無線基地局３Ｂや、自営基地局装置１００ｕに備えられた自営ＰＨＳ部１０６との間で、ＰＨＳ方式のプロトコルを用いて無線通信を行うモジュールである。無線ＬＡＮ部９８は、自営基地局１００ｕに備えられた無線ＬＡＮ部１０７との間で、ＩＥＥＥ８０２．１１等に準拠した方式により無線通信を行うモジュールである。切替部９６は、入力キー部９１を通じてのユーザ操作や、信号処理部９４における受信電波強度の判定に基づいて、ＰＨＳ部９７と無線ＬＡＮ部９８とを選択的に信号処理部９４に接続する切替スイッチである。
一方、自営基地局装置１００ｕは、接続処理部１０４と、ネットワークＩＦ部１０５とを有している。
接続処理部１０４は、ネットワークＩＦ部１０５を介して、ＳＩＰサーバ１１との通信を行うモジュールである。具体的には、接続処理部１０４は、ＳＩＰ（Ｓｅｓｓｉｏｎ  Ｉｎｉｔｉａｔｉｏｎ  Ｐｒｏｔｏｃｏｌ）に基づいて、上述した端末ＩＤ［Ｕ１２３４−５６７８］、ＩＰアドレス［ｘ’．ｘ’．ｘ’．ｘ’］、ユーザＩＤ［ｕｓｅｒ＿ａ］及びパスワードをＳＩＰサーバ１１に送信する。さらに、接続処理部１０４は、送信したＩＰアドレス［ｘ’．ｘ’．ｘ’．ｘ’］がデータベースサーバ１２に登録された場合には、ＳＩＰサーバ１１から当該ＩＰアドレスの登録有効期間を示す情報（ＳＩＰヘッダの”ｅｘｐｉｒｅｓ”パラメータ）を受信する。また、接続処理部１０４は、受信した当該ＩＰアドレスの登録有効期間を示す情報に基づいて、登録有効期間が経過する前にＩＰアドレス、ユーザＩＤ及びパスワードを再度ＳＩＰサーバ１１に送信し、データベースサーバ１２に当該ＩＰアドレスを再登録させる。
また、接続処理部１０４は、ＳＩＰ（Ｓｅｓｓｉｏｎ  Ｉｎｉｔｉａｔｉｏｎ  Ｐｒｏｔｏｃｏｌ）に基づいて、ＳＩＰサーバ１１と、携帯端末装置９０ｕ、すなわち、ユーザＵの利用する電話番号［０７０−ｘｘｘｘ−］に対する呼の接続を実行するものである。さらに、接続処理部１０４は、携帯端末装置９０ｕが自営基地局装置１００ｕと接続されているかを定期的に確認する。携帯端末装置９０ｕが自営基地局装置１００ｕから切り離された場合、接続処理部１０４は、その旨をＳＩＰサーバ１１に通知する。
ネットワークＩＦ部１０５は、ＩＰネットワーク１と接続可能なインターフェースを具備するものでものである。例えば、ネットワークＩＦ部１０５は、ＩＥＥＥ８０２．３ｕに準拠した１００ＢＡＳＥ−ＴＸ等のＬＡＮインターフェースにより実現することができる。なお、ＩＰネットワーク１と自営基地局装置１００ｕとの接続には、ＩＰネットワーク１と接続されるアクセス回線の状況に応じて、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデム等を用いることもできる。
さらに、自営基地局装置１００ｕは、ＰＨＳ方式の通信プロトコルを用いて無線通信を行う通信インターフェースである自営ＰＨＳ部１０６と、無線ＬＡＮ等の近距離通信用の通信インターフェースである無線ＬＡＮ部１０７と、これらの自営ＰＨＳ部１０６と無線ＬＡＮ部１０７とを切り替えるための切替部１０８とを備えている。
自営ＰＨＳ部１０６は、携帯端末装置９０ｕに備えられたＰＨＳ部９７との間で、ＰＨＳ方式のプロトコルを用いて無線通信を行うモジュールである。無線ＬＡＮ部１０７は、携帯端末装置９０ｕに備えられた無線ＬＡＮ部９８との間で、ＩＥＥＥ８０２．１１等に準拠した方式により無線通信を行うモジュールである。切替部１０８は、スイッチ１０１ａを通じてのユーザ操作や、自営ＰＨＳ部１０６及び無線ＬＡＮ部１０７における受信電波強度の判定に基づいて、自営ＰＨＳ部１０６と無線ＬＡＮ部１０７とを選択的に接続処理部１０４やネットワークＩＦ部１０５に接続する切替スイッチである。
（通信システムの動作概要）
次に、上述した本実施形態に係る通信システムの動作の概要について説明する。図１０は、通信システムの動作を示す説明図である。
例えば、ユーザ宅２５のユーザが、ＩＰ電話端末２６を用いてユーザ宅２０に設置されているユーザＵが利用するＩＰ電話端末２１ｕに対して発呼した場合、まず、コールエージェント１３は、ＩＰ電話端末２１ｕに割り当てられている電話番号［０５０−ｘｘｘｘ−］をＩＰアドレス［ｙ．ｙ．ｙ．ｙ］とともにＩＰ電話端末２６から受信する。次いで、コールエージェント１３は、受信した電話番号［０５０−ｘｘｘｘ−］に基づいて、データベースサーバ１２を参照する。
ここで、データベースサーバ１２には、例えば図１１の電話番号テーブル１２５ａに示されている情報が記憶されている。コールエージェント１３は、電話番号テーブル１２５ａの「割当電話番号」に示されている［０５０−ｘｘｘｘ−］に基づいて、「接続先アドレス（優先順位１）」に示されているＩＰアドレス［ｘ．ｘ．ｘ．ｘ］を取得する。コールエージェント１３は、データベースサーバ１２から取得したＩＰアドレス［ｘ．ｘ．ｘ．ｘ］と、ＩＰ電話端末２６から受信したＩＰアドレス［ｙ．ｙ．ｙ．ｙ］に基づいて、ＩＰ電話端末２６とＩＰ電話端末２１ｕとを接続する。
また、本実施形態に係るデータベースサーバ１２は、所定の電話番号に対する呼を転送する転送先の電話番号を記憶することができる。例えば、電話番号テーブル１２５ａにおいて、割当電話番号［０５０−ｘｘｘｘ−］には、上述した「接続先アドレス（優先順位１）」として記憶されているＩＰアドレス［ｘ．ｘ．ｘ．ｘ］に加え、「接続先アドレス（優先順位４）」として、ユーザＵが携帯する携帯端末装置９０ｕの電話番号［０７０−ｘｘｘｘ−］が記憶されている。
本実施形態において、この電話番号テーブル１２５ａは階層構造をなしており、この割当電話番号［０７０−ｘｘｘｘ−］の下位テーブル１２５ｃには、携帯端末装置９０ｕと接続可能な自営基地局装置１００ｕのＩＰアドレスが記憶されている。例えば、「接続先アドレス（優先順位２）」として、ユーザＵのオフィス３０に設置された自営基地局装置１００ｕのＩＰアドレス［［ｘ１．ｘ１．ｘ１．ｘ１］が記憶され、「接続先アドレス（優先順位３）」として、ユーザＵが利用するパーソナル・コンピュータ７０ｕに取り付けられた自営基地局装置１００ｕのＩＰアドレス［［ｘ２．ｘ２．ｘ２．ｘ２］が記憶されている。なお、ユーザＵは、インターネット等を介して、一般電話端末３１の電話番号や移動電話端末５１ｕの電話番号をデータベースサーバ１２に記憶させることができる。
コールエージェント１３は、データベースサーバ１２に複数の接続先アドレスが記憶されている場合、接続先アドレスの優先順位に基づいて、割当電話番号（［０５０−ｘｘｘｘ−］）に対する呼を接続することができる。
例えば、コールエージェント１３は、「接続先アドレス（優先順位１）」として記憶されているＩＰアドレス［ｘ．ｘ．ｘ．ｘ］に基づいて、ＩＰ電話端末２１ｕを呼び出すが、ＩＰ電話端末２１ｕがコールエージェント１３からの呼び出しに所定の時間内に応答しない場合、ＩＰ電話端末２１ｕに対する呼び出しを中止し、「接続先アドレス（優先順位２）」として記憶されている電話番号［０３−ｘｘｘｘ−］に基づいて、一般電話端末３１を呼び出すことができる。
さらに、コールエージェント１３は、携帯端末装置９０ｕを呼び出す際には、直接ＰＨＳ方式によって電話番号［０７０−ｘｘｘｘ−］を呼び出し、所定時間内に応答しない場合は、順次、自営基地局装置１００ｕのＩＰアドレスを通じての呼び出しを行う。なお、データベースサーバ１２に記憶されている複数の「接続先アドレス」の優先順位は、ユーザＵが所定の情報をデータベースサーバ１２にさらに記憶させることにより、一日の時間帯によって変更してもよい。
データベースサーバ１２とコールエージェント１３とが、上述のように動作することにより、ユーザＵの存在する場所に応じて、ユーザＵの利用する電話番号［０５０−ｘｘｘｘ−］に対する呼を所定の電話端末に接続することができる。
さらに、本実施形態では、ユーザＵが自営基地局装置１００ｕを介して携帯端末装置９０ｕをＩＰネットワーク１に接続した場合、その接続した自営基地局装置１００ｕに割り当てられたＩＰアドレスが、上述したデータベースサーバ１２に記憶されている「接続先アドレス」として、ＳＩＰサーバ１１を介して設定される。
したがって、ユーザＵは、例えば出張先等において、自営基地局装置１００ｕを介して、携帯端末装置９０ｕをＩＰネットワーク１に接続することにより、データベースサーバ１２に記憶されている「接続先アドレス」を自ら変更することなく、電話番号［０５０−ｘｘｘｘ−］に対する呼に対して自営基地局装置１００ｕと携帯端末装置９０ｕとを用いて応答することができる。
本実施形態に係る通信システムは、上述のように動作するため、ユーザＵが、同一の電話番号［０５０−ｘｘｘｘ−］が割り当てられたＩＰ電話端末２１ｕと専用電話端末６０ｕとの２台の電話端末を「接続先アドレス」等の変更の操作をすることなく使い分けることを実現する。
特に、本実施形態では、自営基地局装置１００ｕにより、携帯端末装置９０ｕとの間でＰＨＳ方式の通信を可能としたため、ユーザは、携帯端末装置９０ｕに割り当てられたＰＨＳ電話番号を用いて、ＩＰ電話を利用することができる。また、自営基地局装置１００ｕをパーソナル・コンピュータ７０ｕに対して着脱可能なアンテナアダプタとすれば、このアンテナアダプタを携帯することにより、例えば海外など、無線基地局３Ｂの電波が届かない場所であっても、ＩＰネットワーク１に接続できるパーソナル・コンピュータがあるところであれば、自営のＰＨＳアンテナ局を構築することができ、通常と同様の操作により、ＰＨＳ電話を利用することができる。
【産業上の利用可能性】  以上説明したように、本発明によれば、端末装置から当該端末装置を識別する情報および当該ネットワーク上の位置を示す情報を自動的に送信させ、この送信された情報に基づいて呼接続サーバの情報を変更することにより所定の電話番号に対する呼を当該端末装置に接続することができる通信システム、呼接続サーバ、端末装置及び通信方法を提供することができる。
【図１】
2005013590.tif 000003
【図２】
2005013590.tif 000004
【図３】
2005013590.tif 000005
【図４】
2005013590.tif 000006
【図５】
2005013590.tif 000007
【図６】
2005013590.tif 000008
【図７】
2005013590.tif 000009
【図８】
2005013590.tif 000010
【図９】
2005013590.tif 000011
【図１０】
2005013590.tif 000012
【図１１】
2005013590.tif 000013
【国際調査報告】
2005013590.tif 000014
2005013590.tif 000015
2005013590.tif 000016
2005013590.tif 000017